(57)【要約】【課題】一連の撮影により素材画像を保存し、該撮影中に一連の素材画像に関連する代表画像を作成する場合に、代表画像のファイルパスを適切に設定できるようにする。【解決手段】一連の撮影により素材画像を保存し、該撮影中に一連の素材画像に関連する代表画像を作成するデジタルカメラ１００において、一連の撮影を開始するに際して、該撮影により保存される一連の素材画像のファイルパスと重複しないように、例えばＤＣＦ命名規則外のファイルパスを仮ファイルパスとして決定する。そして、一連の撮影を行っている間は、撮影毎にＤＣＦ命名規則昇順に決定したファイルパスに素材画像を保存するとともに、仮ファイルパスに代表画像を記録する。一連の素材画像の撮影終了後は、仮ファイルパスを、最後の素材画像のファイルパスに連続するファイルパスに変更する。【選択図】図１
2015035784.tif 000002
【特許請求の範囲】
【請求項１】
一連の撮影により素材画像を保存し、該撮影中に一連の素材画像に関連する代表画像を作成する画像処理装置であって、
一連の撮影を開始するに際して、該撮影により保存される一連の素材画像のファイルパスと重複しないように代表画像の仮ファイルパスを決定する決定手段と、
一連の撮影を行っている間は、撮影毎に所定の命名規則に従って順序づけられたファイルパスに前記素材画像を保存するとともに、前記決定手段で決定した仮ファイルパスに代表画像を記録する記録制御手段とを備えたことを特徴とする画像処理装置。
【請求項２】
前記所定の命名規則における一つ以上のファイルパスの空きを確保するように一連の撮影を終了させる終了手段を備えたことを特徴とする請求項１に記載の画像処理装置。
【請求項３】
一連の素材画像の撮影の終了後、前記決定手段で決定した仮ファイルパスを、最後の素材画像のファイルパスに連続するファイルパスに変更する変更手段を備えたことを特徴とする請求項１又は２に記載の画像処理装置。
【請求項４】
前記決定手段は、前記所定の命名規則に従った最終ファイルパスを仮ファイルパスとすることを特徴とする請求項１乃至３のいずれか１項に記載の画像処理装置。
【請求項５】
前記決定手段は、前記所定の命名規則に従わないファイルパスを仮ファイルパスとすることを特徴とする請求項１乃至３のいずれか１項に記載の画像処理装置。
【請求項６】
前記決定手段は、素材画像の予定保存枚数を算出し、前記算出した予定保存枚数における最後の素材画像のファイルパスに連続するファイルパスを仮ファイルパスとすることを特徴とする請求項１乃至３のいずれか１項に記載の画像処理装置。
【請求項７】
前記算出した予定保存枚数に達する前に撮影が終了した場合、前記決定手段で決定した仮ファイルパスを、最後の素材画像のファイルパスに連続するファイルパスに変更する変更手段を備えたことを特徴とする請求項６に記載の画像処理装置。
【請求項８】
前記所定の命名規則はＤＣＦ規格であることを特徴とする請求項１乃至７のいずれか１項に記載の画像処理装置。
【請求項９】
一定間隔で撮影した静止画を素材画像とし、各素材画像を１以上のフレーム画像とした動画を代表画像とすることを特徴とする請求項１乃至８のいずれか１項に記載の画像処理装置。
【請求項１０】
前記終了手段は、前記所定の命名規則に従った最終ディレクトリにおいて一つ以上のファイルパスの空きを確保するように一連の撮影を終了させることを特徴とする請求項２に記載の画像処理装置。
【請求項１１】
前記終了手段は、前記素材画像と前記代表画像とを同一のディレクトリに保存するように、一連の撮影を終了させることを特徴とする請求項２に記載の画像処理装置。
【請求項１２】
一連の撮影により素材画像を保存し、該撮影中に一連の素材画像に関連する代表画像を作成する画像処理方法であって、
一連の撮影を開始するに際して、該撮影により保存される一連の素材画像のファイルパスと重複しないように代表画像の仮ファイルパスを決定するステップと、
一連の撮影を行っている間は、撮影毎に所定の命名規則に従って順序づけられたファイルパスに前記素材画像を保存するとともに、前記決定した仮ファイルパスに代表画像を記録するステップとを有することを特徴とする画像処理方法。
【請求項１３】
一連の撮影により素材画像を保存し、該撮影中に一連の素材画像に関連する代表画像を作成する画像処理装置としてコンピュータを機能させるためのプログラムであって、
一連の撮影を開始するに際して、該撮影により保存される一連の素材画像のファイルパスと重複しないように代表画像の仮ファイルパスを決定する決定手段と、
一連の撮影を行っている間は、撮影毎に所定の命名規則に従って順序づけられたファイルパスに前記素材画像を保存するとともに、前記決定手段で決定した仮ファイルパスに代表画像を記録する記録制御手段としてコンピュータを機能させるためのプログラム。
【発明の詳細な説明】
【技術分野】
【０００１】
本発明は、一連の撮影により素材画像を保存し、該撮影中に一連の素材画像に関連する代表画像を作成する画像処理装置、方法及びプログラムに関する。
【背景技術】
【０００２】
従来、画像処理装置には、所定の命名規則に従って画像を保存する場合に、記録媒体内の命名済みの画像と名前が重複せずかつ記録媒体の命名済み画像の確認を終える前に画像の新規撮影を実現するものが提案されている。特許文献１では、撮影されたデジタル画像データを、一時記録ディレクトリ中に一時記録ファイル名を付けて記録媒体に記録し、さらに、この一時記録ファイル名を管理用ファイル名に変換するようにしたので、電源オン時から短時間で撮影可能な状態になり、シャッターチャンスを逃すことなく撮影することができる。
【先行技術文献】
【特許文献】
【０００３】
【特許文献１】特開２００２−２４７４３５号公報
【発明の概要】
【発明が解決しようとする課題】
【０００４】
しかしながら、特許文献１では、一連の撮影により素材画像を保存し、該撮影中に一連の素材画像に関連する代表画像を作成する場合に、代表画像のファイルパスをどのように取り扱うかについては検討されていない。例えば所定の命名規則の構成により代表画像のファイルパスが生成できない場合について検討されていない。また、再生モード移行時には即座に代表画像を閲覧できるようにするのが好ましいが、一連の素材画像のファイルパスと代表画像のファイルパスとの関係によっては、それが難しくなることもある。
【０００５】
本発明は上記のような点に鑑みてなされたものであり、一連の撮影により素材画像を保存し、該撮影中に一連の素材画像に関連する代表画像を作成する場合に、代表画像のファイルパスを適切に設定できるようにすることを目的とする。
【課題を解決するための手段】
【０００６】
本発明の画像処理装置は、一連の撮影により素材画像を保存し、該撮影中に一連の素材画像に関連する代表画像を作成する画像処理装置であって、一連の撮影を開始するに際して、該撮影により保存される一連の素材画像のファイルパスと重複しないように代表画像の仮ファイルパスを決定する決定手段と、一連の撮影を行っている間は、撮影毎に所定の命名規則に従って順序づけられたファイルパスに前記素材画像を保存するとともに、前記決定手段で決定した仮ファイルパスに代表画像を記録する記録制御手段とを備えたことを特徴とする。
【発明の効果】
【０００７】
本発明によれば、一連の撮影により素材画像を保存し、該撮影中に一連の素材画像に関連する代表画像を作成する場合に、代表画像のファイルパスを適切に設定することができる。
【図面の簡単な説明】
【０００８】
【図１】第１の実施形態に係るデジタルカメラの構成を示すブロック図である。
【図２】第１の実施形態に係るデジタルカメラの撮影記録処理を示すフローチャートである。
【図３】第１の実施形態に係るデジタルカメラにおけるファイル構成を示す図である。
【図４】第１の実施形態に係るデジタルカメラの再生処理を示すフローチャートである。
【図５】第２の実施形態に係るデジタルカメラの撮影記録処理を示すフローチャートである。
【図６】第２の実施形態に係るデジタルカメラにおけるファイル構成を示す図である。
【発明を実施するための形態】
【０００９】
以下、添付図面を参照して、本発明の好適な実施形態について説明する。
（第１の実施形態）
以下に説明する実施形態では、本発明を適用した画像処理装置として、動画及び静止画を撮影、記録することができるデジタルカメラについて説明する。デジタルカメラは、特定の記録モード（以下、素材保存撮影モードと呼ぶ）において、画像記録の指示が入力されたことに応じて一連の撮影により素材画像を撮影保存し、一連の素材画像に関連する代表画像を作成する。素材保存撮影モードの例としては、一定間隔で撮影した静止画を素材画像とし、各素材画像を１以上のフレーム画像とした動画を代表画像とするモードがある。また、一定間隔で撮影した静止画を素材画像とし、各素材画像を重畳合成した合成静止画を代表画像とするモードがある。
【００１０】
図１は、第１の実施形態に係るデジタルカメラ１００の構成を示すブロック図である。
制御部１０１は、例えばＣＰＵ（ＭＰＵ）、メモリ（ＤＲＡＭ、ＳＲＡＭ）等からなり、各種処理（プログラム）を実行してデジタルカメラ１００の各ブロックを制御したり、各ブロック間でのデータ転送を制御したりする。また、制御部１０１は、ユーザからの操作を受け付ける操作部１０２からの操作信号に応じて、デジタルカメラ１００の各ブロックを制御する。また、制御部１０１は、後述の画像処理部１１１によって得られた画像を解析し、その解析結果に応じて、デジタルカメラ１００の各ブロックを制御する。
【００１１】
操作部１０２は、例えば電源ボタン、静止画記録ボタン、動画記録開始ボタン、ズーム調整ボタン、オートフォーカスボタン等の撮影に関連する各種操作を入力するスイッチ類を含む。また、メニュー表示ボタン、決定ボタン、その他カーソルキー、ポインティングデバイス、タッチパネル等を含む。ユーザによりこれらのキーやボタンが操作されると、制御部１０１に操作信号を送信する。
【００１２】
バス１０３は、各種データや信号をデジタルカメラ１００の各ブロックに送るための汎用バスである。
【００１３】
撮像部１１０は、レンズにより取り込まれた被写体の光学像を、絞りにより光量を制御して、ＣＣＤセンサやＣＭＯＳセンサ等の撮像素子により画像信号に変換し、アナログデジタル変換をして画像処理部１１１に送信する。
画像処理部１１１は、入力されたデジタル画像信号に、設定値に基づいてホワイトバランスや色、明るさ等を調整する画質調整処理を行う。画像処理部１１１により処理された画像信号は、制御部１０１の制御下でメモリ１０４や映像出力部１５０や表示制御部１３１に送信される。
本実施形態において、撮像部１１０は「光学ズーム」機能、「光学防振」機能を有し、画像処理部１１１は「電子ズーム」機能、「電子防振」機能を有する。ここで、「光学ズーム」機能、「電子ズーム」機能は、ユーザの操作に応じて、得られる画像を拡大する機能である。また、「光学防振」機能、「電子防振」機能は、デジタルカメラ１００本体の振動による画像の揺れを防止する機能である。これらの機能は、制御部１０１の制御下で同時に使用されたり、交互に使用されたり、単独で使用されたりする。
ここで、「光学ズーム」機能とは、ユーザにより操作部１０２のズームキーが操作されたことに応じて、撮像部１１０のレンズを移動させることにより、取り込まれる被写体の光学像を拡大／縮小する機能である。また、「電子ズーム」機能とは、ユーザにより操作部１０２のズームキーが操作されたことに応じて、画像処理部１１１が、撮像部１１０により生成された画像のうち一部を切り出した画像を拡大した画像信号を生成する処理である。また、「光学防振」機能とは、不図示の振動検出部からの加速度信号の値に基づいて、レンズの移動量を算出し、撮像部１１０のレンズを移動させることにより、取得される画像の揺れを防止する機能である。また、「電子防振」機能とは、不図示の振動検出部からの加速度信号の値に基づいて、画像処理部１１１が、撮像部１１０により取得された画像信号の位置を調整することにより、画像の揺れを防止する機能である。また、「電子防振」機能は、不図示の振動検出部からの加速度信号の値に基づいて、撮像部１１０の撮像素子における読み出し位置をずらすことによっても実現できる。これらの機能は公知の技術であるため、詳細な説明は省略する。
【００１４】
音声入力部１２０は、例えば内蔵された無指向性のマイク又は音声入力端子を介して接続された外部マイク等により、デジタルカメラ１００の周囲の音声を集音（収音）し、アナログデジタル変換をして音声処理部１２１に送信する。
音声処理部１２１は、入力されたデジタル音声信号のレベルの適正化処理等の音声に関する処理を行う。音声処理部１２１により処理された音声信号は、制御部１０１の制御下でメモリ１０４に送信される。
【００１５】
メモリ１０４は、画像処理部１１１、音声処理部１２１により得られた画像信号、音声信号を一時的に記憶する。
画像処理部１１１、音声処理部１２１は、メモリ１０４に一時的に記憶された画像信号や音声信号を読み出して画像信号の符号化、音声信号の符号化等を行い、圧縮画像信号、圧縮音声信号等を生成する。画像処理部１１１、音声処理部１２１により生成された圧縮画像信号、圧縮音声信号は、制御部１０１の制御下で記録再生部１４０に送信される。
【００１６】
記録再生部１４０は、記録媒体１４１に対して画像処理部１１１、音声処理部１２１により生成された圧縮画像信号、圧縮音声信号、その他撮影に関する制御データ等を記録する。また、音声信号を圧縮符号化しない場合、制御部１０１の制御下で、音声処理部１２１により生成された音声信号と画像処理部１１１により生成された圧縮画像信号とを記録再生部１４０に送信し、記録媒体１４１に記録する。
また、記録再生部１４０は、記録媒体１４１に記録された圧縮画像信号、圧縮音声信号、音声信号、各種データ、プログラムを読み出す（再生する）。記録再生部１４０により読み出された圧縮画像信号、圧縮音声信号は、制御部１０１の制御下で画像処理部１１１、音声処理部１２１に送信される。画像処理部１１１、音声処理部１２１は、圧縮画像信号、圧縮音声信号を一時的にメモリ１０４に記憶し、所定の手順で復号し、復号した音声信号を音声出力部１５１に、復号化した画像信号を映像出力部１５０や表示制御部１３１に送信する。また、音声信号が記録媒体１４１に非圧縮記録されている場合、制御部１０１の制御下で、音声信号を直接音声出力部１５１に送信する。
記録媒体１４１は、デジタルカメラ１００に内蔵された記録媒体であっても、着脱可能な記録媒体であってもよく、デジタルカメラ１００で生成した圧縮画像信号、圧縮音声信号、音声信号、各種データ等を記録することができればよい。記録媒体１４１は、例えばハードディスク、光ディスク、光磁気ディスク、ＣＤ−Ｒ、ＤＶＤ−Ｒ、磁気テープ、不揮発性の半導体メモリ、フラッシュメモリ等のあらゆる方式の記録媒体を含む。
【００１７】
音声出力部１５１は、例えば音声出力端子からなり、接続されたイヤホンやスピーカ等から音声を出力するために音声信号を送信する。また、音声出力部１５１は、デジタルカメラ１００に内蔵され、音声信号にかかる音声を出力するスピーカであってもよい。
映像出力部１５０は、例えば映像出力端子からなり、接続された外部ディスプレイ等に映像を表示するために画像信号を送信する。
音声出力部１５１及び映像出力部１５０は、統合された１つの端子、例えばＨＤＭＩ（High-Definition Multimedia Interface）（登録商標）端子のような端子であってもよい。
【００１８】
表示制御部１３１は、画像処理部１１１から送信された画像信号による映像や、デジタルカメラ１００を操作するための操作画面（メニュー画面）等を表示部１３０に表示する。
表示部１３０は、例えば液晶ディスプレイ、有機ＥＬディスプレイ、電子ペーパー等の表示デバイスであればよい。
【００１９】
ここで、本実施形態に係るデジタルカメラ１００の通常の動作について説明する。
ユーザが操作部１０２の電源ボタンを操作すると、操作部１０２から制御部１０１に起動の指示が出される。この指示を受けて、制御部１０１は、不図示の電源供給部を制御して、デジタルカメラ１００の各ブロックに対して電源を供給する。
電源が供給されると、制御部１０１は、操作部１０２のモード切り換えスイッチが、例えば静止画撮影モード、動画撮影モード、再生モードのいずれであるかを操作部１０２からの操作信号により確認する。
静止画撮影モードでは、撮影待機状態でユーザが操作部１０２の静止画記録ボタンを操作することにより撮影を行い、圧縮画像信号が記録媒体１４１に記録される。そして、再び撮影待機状態になる。
動画撮影モードでは、撮影待機状態でユーザが操作部１０２の動画記録開始ボタンを操作することにより撮影を開始し、その間、圧縮画像信号と圧縮音声信号又は音声信号が記録媒体１４１に記録される。そして、ユーザが操作部１０２の動画記録終了ボタンを操作することにより撮影を終了し、再び撮影待機状態になる。
再生モードでは、ユーザが選択したファイルに関する圧縮画像信号や圧縮音声信号又は音声信号を記録媒体１４１から再生して、音声出力部１５１から音声信号を出力し、表示部１３０に映像を表示する。
【００２０】
静止画撮影モードについて説明する。操作部１０２により静止画撮影モードが設定されると、前述のようにまず、制御部１０１は、デジタルカメラ１００の各ブロックを撮影待機状態に設定する。
撮影待機状態で、画像処理部１１１は、画像信号を表示制御部１３１に送信し、表示部１３０に画像信号に関する映像を表示する。ユーザはこのようにして表示された画面を見ながら撮影の準備を行うことができる。
撮影待機状態で、ユーザが操作部１０２の静止画記録ボタンを操作することにより撮影指示信号が送信されると、制御部１０１は、撮影制御信号をデジタルカメラ１００の各ブロックに送信して、以下のような動作をさせるように制御する。
撮像部１１０は、レンズにより取り込まれた被写体の光学像を撮像素子により画像信号に変換し、アナログデジタル変換して、画像処理部１１１に送信する。画像処理部１１１は、入力されたデジタル画像信号の画質調整処理（ホワイトバランスや色、明るさ等）を設定値に基づいて処理する。画像処理部１１１により処理された画像信号は、メモリ１０４や映像出力部１５０や表示制御部１３１に送信される。ここで、表示部１３０に表示された映像を見ることで、ユーザは撮影した静止画を確認することができる。そして、画像処理部１１１は、メモリ１０４に一時的に記憶された画像信号を読み出して所定の符号化を行い、圧縮画像信号を生成し、記録再生部１４０に出力する。記録再生部１４０は、ＵＤＦ、ＦＡＴ等のファイルシステム管理の下に、圧縮画像信号を静止画ファイルとして記録媒体１４１に書き込んでいく。
制御部１０１は、画像処理部１１１による符号化の動作が終了すると、撮影待機状態に移行するように制御信号をデジタルカメラ１００の各ブロックに送信して、撮影待機状態に戻る。
【００２１】
次に、動画撮影モードについて説明する。操作部１０２により動画撮影モードが設定されると、前述のようにまず、制御部１０１は、デジタルカメラ１００の各ブロックを撮影待機状態に設定する。
撮影待機状態で、画像処理部１１１は、画像信号を表示制御部１３１に送信し、表示部１３０に画像信号に関する映像を表示する。ユーザはこのようにして表示された画面を見ながら撮影の準備を行うことができる。
撮影待機状態で、ユーザが操作部１０２の動画記録開始ボタンを操作することにより撮影開始の指示信号が送信されると、制御部１０１は、撮影開始の制御信号をデジタルカメラ１００の各ブロックに送信して、以下のような動作をさせるように制御する。
撮像部１１０は、レンズにより取り込まれた被写体の光学像を撮像素子により画像信号に変換し、アナログデジタル変換して、画像処理部１１１に送信する。画像処理部１１１は、入力されたデジタル画像信号の画質調整処理（ホワイトバランスや色、明るさ等）を設定値に基づいて処理する。画像処理部１１１で処理された画像信号は、表示制御部１３１、メモリ１０４に送信される。表示制御部１３１は、受信した画像信号に関する映像を表示部１３０に表示する。
一方、音声入力部１２０は、マイクにより得られたアナログ音声信号をデジタル変換して、得られたデジタル音声信号を音声処理部１２１に送信する。音声処理部１２１は、入力されたデジタル音声信号のレベルの適正化処理等をして音声信号を出力する。音声処理部１２１により処理された音声信号は、メモリ１０４に送信される。
そして、画像処理部１１１、音声処理部１２１は、メモリ１０４に一時的に記憶された画像信号や音声信号を読み出して所定の符号化を行い、圧縮画像信号、圧縮音声信号等を生成する。制御部１０１は、これらの圧縮画像信号、圧縮音声信号を合成し、データストリームを形成し、記録再生部１４０に出力する。記録再生部１４０は、ＵＤＦ、ＦＡＴ等のファイルシステム管理の下に、データストリームを一つの動画ファイルとして記録媒体１４１に書き込んでいく。また、音声を圧縮しない場合、制御部１０１は、音声処理部１２１により生成された音声信号を画像処理部１１１で生成された圧縮画像信号とともに、記録再生部１４０に出力する。記録再生部１４０は、ＵＤＦ、ＦＡＴ等のファイルシステム管理の下に、データストリームを一つの動画ファイルとして記録媒体１４１に書き込んでいく。以上の動作を撮影中は継続する。
【００２２】
また、撮影の間、ユーザによる操作部１０２の操作に応じて、又は画像処理部１１１により生成された画像信号の解析結果に応じて、制御部１０１は、撮像部１１０や画像処理部１１１、音声処理部１２１等に各種制御信号を送信している。例えばレンズの移動や絞り調整等をさせるための制御信号を撮像部１１０に送信するとともに、画像や音声を調整するための制御信号を画像処理部１１１、音声処理部１２１に送信する。
また、同様に撮影の間、ユーザにより操作部１０２のズームキーを操作することで、制御部１０１の制御下で、撮像部１１０の「光学ズーム」機能や、画像処理部１１１の「電子ズーム」機能を動作させることができる。また、不図示の振動検出部により検出された加速度信号に基づいて、制御部１０１の制御下で、撮像部１１０の「光学防振」機能や、画像処理部１１１の「電子防振」機能が動作している。
【００２３】
そして、ユーザが操作部１０２の動画記録終了ボタンを操作することにより撮影終了の指示信号が制御部１０１に送信されると、制御部１０１は、撮影終了の制御信号をデジタルカメラ１００の各ブロックに送信して、以下のような動作をさせるように制御する。
画像処理部１１１、音声処理部１２１は、画像信号、音声信号のメモリ１０４への送信を停止する。そして、メモリ１０４に記憶されている残りの画像信号と音声信号とを読み出して所定の符号化を行い、圧縮画像信号、圧縮音声信号等を生成する。制御部１０１は、これらの最後の圧縮画像信号、圧縮音声信号を合成し、データストリームを形成し、記録再生部１４０に出力する。音声を圧縮しない場合、制御部１０１は、音声処理部１２１により生成された音声信号と、圧縮画像信号とを記録再生部１４０に出力する。記録再生部１４０は、ＵＤＦ、ＦＡＴ等のファイルシステム管理の下に、データストリームを一つの動画ファイルとして記録媒体１４１に書き込んでいく。
【００２４】
そして、データストリームの供給が停止したら、制御部１０１は、サムネイルを生成するために、以下のような動作をさせるように制御する。
記録再生部１４０は、記録媒体１４１に記録した動画ファイルの先頭フレームの圧縮画像信号を読み出し、画像処理部１１１に送信する。画像処理部１１１は、圧縮画像信号を一時的にメモリ１０４に記憶させ、所定の手順で復号する。次に、画像処理部１１１は、得られた画像信号に対してサムネイル用の所定の符号化を行い、サムネイル用圧縮画像信号を生成する。画像処理部１１１により生成されたサムネイル用圧縮画像信号は、記録再生部１４０に出力される。記録再生部１４０は、ＵＤＦ、ＦＡＴ等のファイルシステム管理の下に、サムネイル用圧縮画像を、基となる動画ファイルに結合させるように記録媒体１４１に書き込み、動画ファイルを完成させるとともに記録動作を停止する。
制御部１０１は、記録動作が停止すると、撮影待機状態に移行するように制御信号をデジタルカメラ１００の各ブロックに送信して、撮影待機状態に戻る。
【００２５】
次に、再生モードについて説明する。操作部１０２により再生モードが設定されると、制御部１０１は、再生状態に移行するように制御信号をデジタルカメラ１００の各ブロックに送信して、以下のような動作をさせるように制御する。
記録再生部１４０は、記録媒体１４１に記録された圧縮画像信号からなる静止画ファイル、或いは圧縮画像信号と圧縮音声信号又は音声信号とからなる動画ファイルを読み出す。記録再生部１４０により読み出された圧縮画像信号、圧縮音声信号は、画像処理部１１１、音声処理部１２１に送信される。圧縮されていない音声信号であれば、音声信号が音声出力部１５１に送信される。画像処理部１１１、音声処理部１２１は、圧縮画像信号、圧縮音声を一時的にメモリ１０４に記憶し、所定の手順で復号する。画像処理部１１１、音声処理部１２１により復号化された音声信号は音声出力部１５１に、復号化された画像信号は映像出力部１５０や表示制御部１３１に送信される。表示制御部１３１は、入力された画像信号にかかる映像を表示部１３０に表示し、音声出力部１５１は、入力された音声信号にかかる音声を内蔵されたスピーカや、接続されたイヤホンやスピーカから出力する。
【００２６】
以上のように、本実施形態に係るデジタルカメラ１００は、静止画、動画の記録、再生を行う。
【００２７】
操作部１０２からの操作信号により素材保存撮影モードが確定すると、制御部１０１は、図２に示す素材保存撮影モードにおける撮影記録処理を開始する。本実施形態において、素材保存撮影モードでは、一定間隔で撮影した静止画を素材画像とし、各素材画像を１以上のフレーム画像とした動画を代表画像とするものとする。
【００２８】
ステップＳ２０１で、制御部１０１は、操作部１０２より撮影開始の指示があったと判定したならば、ステップＳ２０２に進む。
【００２９】
次に、ステップＳ２０２で、制御部１０１は、一連の撮影を開始するに際して、代表画像である動画の仮ファイルパスを決定する。
ここで、ＤＣＦ（Design rule for Camera File system）規格では、例えば図３（ａ）に示すように、ルートディレクトリ３０１の下にサブディレクトリが位置する（例えばサブディレクト３０２を参照）。サブディレクトリの先頭３文字は重複しない１００〜９９９の番号（ディレクトリ番号）となる。また、サブディレクトリの下で管理されるファイルの名前は、「４文字の英数字＋４桁の連番数字（０００１〜９９９９）．拡張子」で構成される（例えばファイル３０３を参照）。以下の説明では、「ディレクトリ番号−ファイル番号（４桁の連番数字）」をＤＣＦ番号とも呼ぶ。
代表画像の仮ファイルパスは、ＤＣＦにより規定されるファイルパスに従い、命名保存される一連の素材画像（素材静止画）のディレクトリ番号及びファイル番号と重複しないファイルパスとする。
すなわち、ＤＣＦ命名規則に準じて重複しない番号に命名するか、ＤＣＦ命名規則外のファイルパスとするかの方法等が挙げられる。前者のＤＣＦ命名規則に準じて重複しない番号に命名する一例として、図３（ａ）のディレクトリ３０４、ファイル３０５に示すように、ＤＣＦ最大番号「９９９−９９９９」である最終ファイルパスに仮ファイルパスを設定する。これは、素材保存撮影モードにおいて、代表画像を素材画像より大きいＤＣＦ番号のファイルパスにする場合の最大番号である。後者のＤＣＦ命名規則外のファイルパスとする一例として、図３（ｂ）に示すように、ＤＣＦ命名規則外のディレクトリ「ＭＩＳＣ」３１４、ファイル「ＴＭＰ．ＭＰ４」３１５のように仮ファイルパスを決定する。
【００３０】
次に、一連の撮影を開始し、ステップＳ２０３で、制御部１０１は、素材画像である静止画ＤＣＦファイルパスを決定する。素材画像はＤＣＦ番号順に昇順に命名されていく。例えばＤＣＦ番号「９９９−９９９３」まで画像が記録されている記録媒体においては、図３（ｂ）に示すように、最初の素材画像はＤＣＦ番号「９９９−９９９４」としてファイルパスが決定される。
【００３１】
次に、ステップＳ２０４で、制御部１０１の制御下で素材画像の撮影が行われ、ステップＳ２０５で、ステップＳ２０３において決定したファイルパスに素材画像を保存する。
次に、ステップＳ２０６で、ステップＳ２０４において撮影した素材画像を、先に決定された仮ファイルパスに、代表画像の動画を構成する一つ以上のフレームとして追記する。
【００３２】
次に、ステップＳ２０７では操作部１０２より撮影停止の指示があったか否か、ステップＳ２０８では所定枚数撮影終了したか否かを判定する。いずれかがＹｅｓと判定されたならばステップＳ２１０に進み、いずれもがＮｏと判定がされたならばステップＳ２０９に進む。ステップＳ２０８について補足すると、例えば素材保存撮影モードが予め撮影時及び撮影インターバル時間が設定されたような撮影モードである場合、設定された撮影時間及び設定されたインターバル時間によって決まる撮影枚数が終了したことを持って肯定的な判断とする。
【００３３】
次に、ステップＳ２０９で、制御部１０１は、ＤＣＦ命名２枚以上可能であるか否かを判定する。すなわち、次に撮影する素材画像と、代表画像を保存するためのＤＣＦファイルパスを確保できるか否かを判定する。Ｙｅｓと判定されたならばステップＳ２０３に戻り、Ｎｏと判定されたならばステップＳ２１０に進む。
この判定は、最終ディレクトリに対して行う他、ディレクトリ単位で行ってもよい。ディレクトリ単位で行う場合、一連の素材画像と代表画像が同一のディレクトリに保存される。素材画像と代表画像は関連性のある画像であるので、同一のディレクトリに保存した方が好ましいと考えるユーザにとって利便性が高い。
また、例えば現在記録中のディレクトリにＤＣＦ規則上、すなわちファイル数上限、ファイル番号上限の制約で素材画像と代表画像が全て保存できないと判断されたならば、新たなディレクトリ（一般的には現在のディレクトリ番号を１インクリメントしたディレクトリ）に素材画像のファイルパスを決定するようにしてもよい。
また、撮影日毎に撮影画像をディレクトリ別に保存するような場合、一連の素材画像と代表画像は一連の撮影中に日付が変わったとしても、撮影開始時の素材画像と同一のディレクトリに保存することができ、利便性が上がる。
【００３４】
ステップＳ２０３に戻ると、ＤＣＦ昇順にて次のファイルパスを決定して撮影を続ける。これは、図３（ｃ）のファイル３１３に示すように、ＤＣＦ昇順にて素材画像を保存していくことである。そして、ステップＳ２０６で、素材画像は、先に決定された仮ファイルパスに、代表画像の動画を構成するフレームとして順次追記されていくことになる。
【００３５】
ステップＳ２１０で、制御部１０１は、代表画像のＤＣＦファイルパスを決定する。そして、ステップＳ２１１で、制御部１０１は、ステップＳ２０２において決定した仮ファイルパスを、ステップＳ２１０において決定したＤＣＦファイルパスに変更する。これは、例えば図３（ｃ）のディレクトリ「ＭＩＳＣ」３１４、ファイル「ＴＭＰ．ＭＰ４」３１５で特定される仮ファイルパスを、図３（ｄ）のファイル３１６に示すように素材画像群に連続するＤＣＦ番号に変更することとである。
【００３６】
操作部１０２からの操作信号により再生モードが確定すると、制御部１０１は、前述した再生モードを開始する。図４は、再生モードにおける再生処理を示すフローチャートである。
ステップＳ４０１で、制御部１０１は初期画像を設定する。初期画像は、ＤＣＦ規格のディレクトリ番号が最大のディレクトリ内のファイル番号が最大の画像である。すなわち、撮影毎にファイル番号をインクリメントしファイル名を決定し、新規ディレクトリに撮影する際はディレクトリ番号をインクリメントしてディレクトリ名を決定するような場合、最後に撮影した画像となる。
次に、ステップＳ４０２で、制御部１０１の制御下で画像再生処理を行い、表示部１３０に画像を表示する。
次に、ステップＳ４０３、Ｓ４０４、Ｓ４０６で、制御部１０１は、ユーザの操作部１０２を介した指示要求を処理する。ステップＳ４０３では、再生モード終了の指示の有無を判定し、再生モード終了の指示があれば再生処理を抜ける。ステップＳ４０３において再生モード終了の指示がなければ、ステップＳ４０４に進む。ステップＳ４０４では、画像送り指示の有無を判定し、画像送り指示があれば、ステップＳ４０５でＤＣＦ番号順で次又は前の画像を再生画像として決定し、ステップＳ４０２に戻る。ステップＳ４０４において画像送り指示がなければ、ステップＳ４０６に進む。ステップＳ４０６では、その他の処理指示の有無を判定する。その他の処理とは、例えば画像消去、画像編集、画像送信等である。その他の処理指示がなければ、ステップＳ４０３に戻り、その他の処理指示があれば、ステップＳ４０７で指示に応じた処理を行い、ステップＳ４０３に戻る。
【００３７】
以上のように、一連の撮影により素材画像を保存し、該撮影中に一連の素材画像に関連する代表画像を作成する場合に、代表画像を、一連の素材画像の撮影を終了する前に記録媒体にファイルパスが未解決になることなくファイル保存することが可能となる。
また、一連の素材画像の撮影の終了後に、代表画像のファイルパスが素材画像群に連続するＤＣＦ番号となるようにしたので、再生モード移行時に即座に代表画像を閲覧することが可能となる。
また、低消費電力を実現するために一連の素材画像の撮影中にデジタルカメラ１００がスリープ状態等に移行するようにすることがある。この場合でも、その時点までに撮影された素材画像により作成した代表画像をファイル保存し、非揮発なものとしているので継続して代表画像の構築が可能である。
【００３８】
（第２の実施形態）
次に、第２の実施形態を説明する。なお、デジタルカメラ１００の構成及び基本的な動作は第１の実施形態と同様であり、以下では、第１の実施形態との相違点を中心に説明する。
操作部１０２からの操作信号により素材保存撮影モードが確定すると、制御部１０１は、図５に示す素材保存撮影モードにおける撮影記録処理を開始する。本実施形態において、素材保存撮影モードでは、一定間隔で撮影した静止画を素材画像とし、各素材画像を１以上のフレーム画像とした動画を代表画像とするものとする。
【００３９】
ステップＳ５０１で、制御部１０１は、操作部１０２より記録開始の指示があったと判定したならば、ステップＳ５０２に進む。
【００４０】
次に、ステップＳ５０２で、制御部１０１は、素材画像の予定保存枚数を算出する。これは、例えば素材保存撮影モードが予め撮影時及び撮影インターバル時間が設定されたような撮影モードである場合、設定された撮影時間及び設定されたインターバル時間によって決まる撮影枚数から定めることができる。
【００４１】
次に、ステップＳ５０３で、制御部１０１は、一連の撮影を開始するに際して、代表画像である動画の仮ファイルパスを決定する。仮ファイルパスは、ステップＳ５０２において算出した素材画像の予定保存枚数分、ＤＣＦ昇順に素材画像のファイルパスを決定したと仮定し、最後のファイルパスに連続するファイルパスとする。例えば予定保存枚数が５枚であった場合、最終保存状態を図６（ｂ）に示すように想定し、図６（ａ）のファイル３１７に示すように、素材画像の保存予定を飛ばした代表画像のファイルパスを決定する。
【００４２】
次に、一連の撮影を開始し、ステップＳ５０４で、制御部１０１は、素材画像である静止画ＤＣＦファイルパスを決定する。第１の実施形態でも述べたように、素材画像はＤＣＦ番号順に昇順に命名されていく。
【００４３】
次に、ステップＳ５０５で、制御部１０１の制御下で素材画像の撮影が行われ、ステップＳ５０６で、ステップＳ５０４において決定したファイルパスに素材画像を保存する。
次に、ステップＳ５０７で、ステップＳ５０５において撮影した素材画像を、先に決定された仮ファイルパスに、代表画像の動画を構成する一つ以上のフレームとして追記する。
【００４４】
次に、ステップＳ５０８で、制御部１０１は予定保存枚数分の撮影が終了したか否かを判定する。Ｎｏと判定されたならばステップＳ５０９に進み、Ｙｅｓと判定されたならば本処理を抜ける。
次に、ステップＳ５０９で、制御部１０１は操作部１０２より撮影停止の指示があったかを否かを判定する。Ｎｏと判定がされたならばステップＳ５０４に戻り、Ｙｅｓと判定されたならばステップＳ５１０に進む。
【００４５】
ステップＳ５０４に戻ると、ＤＣＦ昇順にて次のファイルパスを決定して撮影を続ける。これは、図６（ｂ）のファイル３０３に示すように、ＤＣＦ昇順にて素材画像を保存していくことである。そして、ステップＳ５０７で、素材画像は、先に決定された仮ファイルパスに、代表画像の動画を構成するフレームとして順次追記されていくことになる。
【００４６】
ステップＳ５１０で、制御部１０１は、代表画像のＤＣＦファイルパスを決定する。そして、ステップＳ５１１で、制御部１０１は、ステップＳ５０３において決定した仮ファイルパスを、ステップＳ５１０において決定したＤＣＦファイルパスに変更する。
操作部１０２より撮影停止の指示があった場合は、ステップＳ５０２において算出した素材画像の予定保存枚数に達する前に撮影が終了している。そのため、ステップＳ５０３において決定した仮ファイルパスと最後の素材画像のファイルパスの間にＤＣＦ番号上の空きがある。例えば図６（ｂ）において、ステップＳ５０２において算出した予定保存枚数が５枚であったが、「ＩＭＧ＿０００５．ＪＰＧ」を撮影せずにユーザにより停止指示があった場合である。この場合、ステップＳ５０３において決定した仮ファイルパス「ＭＶＩ＿０００６．ＭＯＶ」３１７を「ＭＶＩ＿０００５．ＭＯＶ」に変更する。
【００４７】
なお、上記実施形態では、本発明を適用した画像処理装置の例としてデジタルカメラを説明したが、これ以外にも携帯電話等であってもよい。
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００４８】
１００：デジタルカメラ、１０１：制御部、１０２：操作部、１０３：バス、１０４：メモリ、１１０：撮像部、１１１：画像処理部、１２０：音声入力部、１２１：音声処理部、１３０：表示部、１３１：表示制御部、１４０：記録再生部、１４１：記録媒体、１５０：音声出力部、１５０：映像出力部
【図１】
2015035784.tif 000003
【図２】
2015035784.tif 000004
【図３】
2015035784.tif 000005
【図４】
2015035784.tif 000006
【図５】
2015035784.tif 000007
【図６】
2015035784.tif 000008